(57)【特許請求の範囲】
【請求項１】
換気扇枠に取り付けられたシャッター支持部材と、
前記シャッター支持部材に回動自在に支持された複数のシャッタープレートとを備え、シャッターを閉じた時に、隣接するシャッタープレート間で互いの自由端部と基端部とが重畳可能に構成された換気扇において、
前記シャッタープレートと前記シャッター支持部材とは、一方に設けた軸と他方に設けた穴を介して相対回動可能に連結されているとともに、
前記穴には、その周縁部の一部に所定角度に亘り切欠きが設けられ、
前記軸には、その外周面の一部に前記切欠き内に嵌入可能な軸側突起が設けられており、
シャッターを閉じる際に、前記軸側突起が前記切欠きの端部エッジと最初に衝突するように設定されていることを特徴とする換気扇。
【発明の詳細な説明】
【技術分野】
【０００１】
本発明は、建物に設置され、シャッターを介して室内へ空気を給気または室外へ空気を排気する換気扇に関する。
【背景技術】
【０００２】
換気扇は、モーターに駆動されるファンにて風の流れを作り出し、室内の空気を室外へ送り出す、または外気を室内へ取り込む。通常、換気扇は壁等に開口部を設けて取り付けられており、運転停止時にはシャッターにて外部と遮断する。設けられるシャッターは、外気の流入防止、光の差し込み、または漏れ防止のため、閉じたときの密閉性が求められる。そのため、換気扇は、シャッタープレート相互、またはシャッタープレートとシャッター支持部材が重なる構造をしており、シャッターを閉じた際にシャッタープレートが衝突し、不快な衝撃音が発生する。
【０００３】
この衝撃音を低減することが求められるが、従来はこの衝撃音の問題に対して主にシャッタープレートが衝突する部位にゴムなどの緩衝材を介在させるなどの対策を講じていた。しかし、緩衝材の経年劣化による効果の目減りおよび脱落、またコスト高となる問題があった。そこで、換気扇本体とシャッタープレートを回転させる連結板との間にダンバー機構を設け、衝撃音を安定的に低減できるようにしたものが提案されている（例えば、特許文献１参照）。
【先行技術文献】
【特許文献】
【０００４】
【特許文献１】特開平１１−２０１５１４号公報（要約、図１、図２）
【発明の概要】
【発明が解決しようとする課題】
【０００５】
しかしながら、換気扇本体とシャッタープレートを回転させる連結板との間にダンバー機構を設けたものにあっては、構成が複雑となり、コスト高となるという問題があった。
【０００６】
本発明は、前記のような課題を解決するためになされたもので、複雑な機構を設けることなく、簡易的な構造にて、シャッターを閉じたときの不快な衝撃音を低減できるようにすることを目的とする。
【課題を解決するための手段】
【０００７】
本発明は、換気扇枠に取り付けられたシャッター支持部材と、前記シャッター支持部材に回動自在に支持された複数のシャッタープレートとを備え、シャッターを閉じた時に、隣接するシャッタープレート間で互いの自由端部と基端部とが重畳可能に構成された換気扇において、前記シャッタープレートと前記シャッター支持部材とは、一方に設けた軸と他方に設けた穴を介して相対回動可能に連結されているとともに、前記穴には、その周縁部の一部に所定角度に亘り切欠きが設けられ、前記軸には、その外周面の一部に前記切欠き内に嵌入可能な軸側突起が設けられており、シャッターを閉じる際に、前記軸側突起が前記切欠きの端部エッジと最初に衝突するように設定されているものである。
【発明の効果】
【０００８】
本発明に係る換気扇においては、シャッタープレートが回動自在に支持されている部位の近傍に、シャッター支持部材とシャッタープレートとが互いに衝突可能な干渉部を設け、シャッターを閉じる際に、前記干渉部にて、シャッター支持部材とシャッタープレートとが最初に衝突するように設定するだけでよく、複雑な機構を設けることなく、簡易的な構造にて、シャッターを閉じたときの不快な衝撃音を長期安定的に低減することができる。
【図面の簡単な説明】
【０００９】
【図１】本発明の実施形態１に係る換気扇の正面側から見た斜視図である。
【図２】本発明の実施形態１に係る換気扇の裏面側から見たシャッターを閉じた状態の斜視図である。
【図３】本発明の実施形態１に係る換気扇の裏面側から見たシャッターを開いた状態の斜視図である。
【図４】本発明の実施形態１に係る換気扇のシャッターを閉じた状態の部分断面表示を含む側面図である。
【図５】本発明の実施形態１に係る換気扇のシャッター支持部材の要部を拡大して示す斜視図である。
【図６】本発明の実施形態１に係る換気扇のシャッター支持部材とシャッタープレートの関係をシャッターを閉じた状態で示す側面図である。
【図７】本発明の実施形態２に係る換気扇の突起をつけたシャッター支持部材の要部を拡大して示す斜視図である。
【図８】本発明の実施形態２に係る換気扇のシャッター支持部材とシャッタープレートの関係をシャッターを閉じた状態で示す側面図である。
【図９】本発明の実施形態３に係る換気扇の突起をつけたシャッター支持部材の要部を拡大して示す斜視図である。
【図１０】本発明の実施形態４に係る換気扇の棒状突起をつけたシャッター支持部材の要部を拡大して示す斜視図である。
【図１１】本発明の実施形態４に係る換気扇のシャッター支持部材とシャッタープレートの関係をシャッターを閉じた状態で示す側面図である。
【図１２】本発明の実施形態５に係る換気扇の突起を設けたシャッタープレートの要部を拡大して示す側面図である。
【図１３】本発明の実施形態５に係る換気扇のシャッター支持部材とシャッタープレートの関係をシャッターを閉じた状態で示す側面図である。
【図１４】本発明の実施形態６に係る換気扇の軸に突起を設けたシャッター支持部材の要部を拡大して示す斜視図である。
【図１５】本発明の実施形態６に係る換気扇の穴の一部を切り欠いたシャッタープレートの要部を拡大して示す側面図である。
【図１６】本発明の実施形態６に係る換気扇のシャッター支持部材とシャッタープレートの関係をシャッターを閉じた状態で示す側面図である。
【発明を実施するための形態】
【００１０】
以下に、図示実施形態により本発明に係る換気扇のシャッター装置について説明する。なお、以下の実施形態により本発明が限定されるものではない。
【００１１】
実施形態１．
図１は本発明の実施形態１に係る換気扇の正面側から見た斜視図である。図２は本発明の実施形態１に係る換気扇の裏面側から見たシャッターを閉じた状態の斜視図である。図３は本発明の実施形態１に係る換気扇の裏面側から見たシャッターを開いた状態の斜視図である。図４は本発明の実施形態１に係る換気扇のシャッターを閉じた状態の部分断面表示を含む側面図である。
本発明の実施形態１に係る換気扇１００は、図１乃至図４に示すように、室内と室外をつなぐ風路を形成する方形状の換気扇枠１に、モーター２と羽根３から成る送風機１０１が、ファンベース４を介して取り付けられている。また、室内側には、風路を構成するオリフィス５が配置され、室外側には、運転停止時の外気の流入防止、光の差し込みおよび漏れ防止用のシャッター１０２が設けられている。シャッター１０２は、換気扇枠１の両側面に取り付けられたシャッター支持部材６と、シャッター支持部材６に取り付けられた複数枚（ここでは３枚）のシャッタープレート７とを有している。これを図５及び図６により更に詳述する。
【００１２】
図５は本発明の実施形態１に係る換気扇のシャッター支持部材の要部を拡大して示す斜視図である。図６は本発明の実施形態１に係る換気扇のシャッター支持部材とシャッタープレートの関係をシャッターを閉じた状態で示す側面図である。
シャッター支持部材６には、図５及び図６のように複数の軸６ａが設けられ、これら軸６ａが、シャッタープレート７の穴７ａにそれぞれ差し込まれている。これにより、各シャッタープレート７は、シャッター支持部材６に回動自在に支持されている。また、シャッター支持部材６には、シャッター左右端部の外気の流入防止や光の差し込みを改善する目的で遮蔽板６ｃが設けられている。遮蔽板６ｃは、軸６ａの近傍から下方へ延出して設けられている。また、遮蔽板６ｃの上部は、シャッタープレート側に折曲され、更にその軸６ａ近傍の先端部が上方に折曲されて、シャッタープレート７と当接可能な干渉部となる端部６ｃ１として形成されている。また、端部６ｃ１は、その設置位置が、シャッター１０２を閉じたときに、シャッタープレート７と最初に衝突する位置となるように設定されている。さらに、各シャッタープレート７を連結する連結板８が設けられ、各シャッタープレート７は、連結板８によって連動して開閉されるようになっている。また、連結板８には、図４のようにシャッター１０２を開閉させるためのスイッチ９を介して引き紐１０が繋がっており、開閉の復元の補助として復帰ばね１１が設けられている。
【００１３】
以上のように構成された本発明の実施形態１に係る換気扇１００は、復帰ばね１１の付勢力に抗して引き紐１０を引くことにより、スイッチ９が作動し、換気扇１００の電源が入りモーター２が駆動し、羽根３が回転を始めると同時に、連結板８が連動して引き下げられ、複数枚のシャッタープレート７が、それぞれに対応するシャッター支持部材６の軸６ａを中心に回動し、スイッチ９が固定されることによりシャッター１０２は開放状態で保持される。
【００１４】
また、このシャッター１０２の開放状態から再度引き紐１０を引くことにより、スイッチ９の固定が外れ、換気扇１００の電源が切れ、送風機１０１が停止するとともに、復帰ばね１１の復元力により連結板８が引き上げられ、複数枚のシャッタープレート７が、それぞれに対応するシャッター支持部材６の軸６ａを中心に回動し、シャッター１０２は閉塞状態となる。
【００１５】
このシャッター１０２が閉塞状態となる際、シャッタープレート７の側板７ｃが、シャッター支持部材６の遮蔽板６ｃの端部６ｃ１と最初に衝突し、その後、シャッタープレート７の自由端部が下方で隣接するシャッタープレート７の基端部と衝突（又は接触）する。シャッタープレート７は、穴７ａ部分で軸６ａに支持されているため、穴７ａを節として振動するモードが生じる。一般に低次の振動モードほど振動振幅は大きく、振動の腹部分を加振すると応答による振幅は大きくなり、節部分を加振すると応答による振幅を小さく抑えられる。つまり、シャッタープレート７は、閉塞させられる際に、前記振動の節となる穴７ａの近傍に配置した遮蔽板６ｃの端部６ｃ１と最初に衝突することで、振動モードの節、特に低次の振動モードの節近くを加振することとなる。このため、シャッタープレート７を閉塞させる際の遮蔽板６ｃとの衝突による振動振幅が小さく抑えられる。そして、これにより衝撃音が低減可能となる。
【００１６】
シャッター支持部材６は、樹脂、ゴム、およびそれらに発泡剤を加えたものなど減衰効果が高い材料を選ぶことで、シャッタープレートが衝突した時の衝撃音をより低減可能となる。このことは、以下の他の実施形態においても同様である。
【００１７】
実施形態２．
図７は本発明の実施形態２に係る換気扇の突起をつけたシャッター支持部材の要部を拡大して示す斜視図である。図８は本発明の実施形態２に係る換気扇のシャッター支持部材とシャッタープレートの関係をシャッターを閉じた状態で示す側面図である。なお、各図中、前述の実施形態１に相当する部分には同一符号を付してある。また、説明にあたっては前述の図１乃至図４を参照するものとする。
本発明の実施形態２に係る換気扇は、図７及び図８のようにシャッター支持部材６の遮蔽板６ｃの上部は、ストレート状に形成され、その軸６ａ近傍の先端部のシャッタープレート７に対向する側の面に支持部材側突起６ｂが設けられ、シャッター１０２を閉じたときに、シャッタープレート７の側板７ｃに遮蔽板６ｃの支持部材側突起６ｂが最初に衝突するように構成されたものである。それ以外の構成は前述の実施形態１のものと同様である。
【００１８】
本発明の実施形態２に係る換気扇においては、引き紐１０を引いて電源を切ることによりシャッター１０２が閉塞状態となる。このシャッター１０２が閉塞状態となる際、シャッタープレート７の側板７ｃが、シャッター支持部材６の遮蔽板６ｃに設けた支持部材側突起６ｂと最初に衝突し、その後、シャッタープレート７の自由端部が下方で隣接するシャッタープレート７の基端部と衝突（又は接触）する。つまり、シャッタープレート７は、閉塞させられる際に、振動の節となる穴７ａの近傍に配置した遮蔽板６ｃの支持部材側突起６ｂと最初に衝突することとなる。このため、シャッタープレート７を閉塞させる際の遮蔽板６ｃとの衝突による振動振幅が小さく抑えられる。そして、これにより衝撃音が低減可能となる。
【００１９】
実施形態３．
図９は本発明の実施形態３に係る換気扇の突起をつけたシャッター支持部材の要部を拡大して示す斜視図であり、図中、前述の実施形態２に相当する部分には同一符号を付してある。また、説明にあたっては、ここでも前述の図１乃至図４を参照するものとする。
本発明の実施形態３に係る換気扇は、図９のようにシャッター支持部材６の遮蔽板６ｃの軸６ａ近傍の上端部のシャッタープレート７に対向する側の面に設けた突起、つまりシャッター１０２を閉じたときに、シャッタープレート７の側板７ｃと最初に衝突するように構成された支持部材側突起６ｂに、溝６ｂ１を形成したものである。それ以外の構成は前述の実施形態１及び実施形態２のものと同様である。
【００２０】
本発明の実施形態３に係る換気扇においては、シャッタープレート７の側板７ｃと最初に衝突するように構成された支持部材側突起６ｂに、溝６ｂ１を形成したので、溝６ｂ１のない支持部材側突起６ｂと比べて剛性を下げることができ、シャッタープレート７に生じる衝撃力を吸収することができる。そして、より衝撃音が低減可能となる。
【００２１】
実施形態４．
図１０は本発明の実施形態４に係る換気扇の棒状突起をつけたシャッター支持部材の要部を拡大して示す斜視図である。図１１は本発明の実施形態４に係る換気扇のシャッター支持部材とシャッタープレートの関係をシャッターを閉じた状態で示す側面図である。なお、各図中、前述の実施形態１に相当する部分には同一符号を付してある。また、説明にあたってはここでも前述の図１乃至図４を参照するものとする。
本発明の実施形態４に係る換気扇は、図１０及び図１１のようにシャッター支持部材６の遮蔽板６ｃの軸６ａ近傍の上端部に、前述の実施形態２及び実施形態３のものよりも突出量の大きい棒状突起６ｂ２をシャッタープレート７側に延出させて設け、シャッター１０２を閉じたときに、シャッタープレート７の平板部７ｄが最初に衝突するように構成したものである。それ以外の構成は前述の実施形態１乃至実施形態３のものと同様である。
【００２２】
本発明の実施形態４に係る換気扇においては、引き紐１０を引いて電源を切ることによりシャッター１０２が閉塞状態となる。このシャッター１０２が閉塞状態となる際、シャッター支持部材６の遮蔽板６ｃに設けた長い棒状突起６ｂ２がシャッタープレート７の平板部７ｄと最初に衝突し、その後、シャッタープレート７の自由端部が下方で隣接するシャッタープレート７の基端部と衝突（又は接触）する。つまり、シャッタープレート７は、閉塞させられる際に、振動の節となる穴７ａの近傍に配置した遮蔽板６ｃの長い棒状突起６ｂ２に平板部７ｄが最初に衝突することとなる。このため、シャッタープレート７を閉塞させる際の遮蔽板６ｃとの衝突による振動振幅が小さく抑えられる。そして、これにより衝撃音が低減可能となる。
【００２３】
実施形態５．
図１２は本発明の実施形態５に係る換気扇の突起を設けたシャッタープレートの要部を拡大して示す側面図である。図１３は本発明の実施形態５に係る換気扇のシャッター支持部材とシャッタープレートの関係をシャッターを閉じた状態で示す側面図である。なお、各図中、前述の実施形態１に相当する部分には同一符号を付してある。また、説明にあたってはここでも前述の図１乃至図４を参照するものとする。
本発明の実施形態５に係る換気扇は、図１２及び図１３のようにシャッタープレート７の側板７ｃの穴７ａの近傍に、シャッター支持部材６の遮蔽板６ｃに向けて突出するプレート側突起７ｂを設け、シャッター支持部材６の遮蔽板６ｃには突起を設けていない点、及びシャッター１０２を閉じたときに、シャッタープレート７の側板７ｃのプレート側突起７ｂが最初に遮蔽板６ｃと衝突するように構成した点が、前述の各実施形態のものと異なっている。それ以外の構成は前述の実施形態１のものと同様である。
【００２４】
本発明の実施形態５に係る換気扇においては、引き紐１０を引いて電源を切ることによりシャッター１０２が閉塞状態となる。このシャッター１０２が閉塞状態となる際、シャッタープレート７の側板７ｃのプレート側突起７ｂが、シャッター支持部材６の遮蔽板６ｃと最初に衝突し、その後、シャッタープレート７の自由端部が下方で隣接するシャッタープレート７の基端部と衝突（又は接触）する。つまり、シャッタープレート７は、閉塞させられる際に、振動の節となる穴７ａの近傍に配置した側板７ｃのプレート側突起７ｂが遮蔽板６ｃと最初に衝突することとなる。このため、シャッタープレート７を閉塞させる際の遮蔽板６ｃとの衝突による振動振幅が小さく抑えられる。そして、これにより衝撃音が低減可能となる。
【００２５】
実施形態６．
図１４は本発明の実施形態６に係る換気扇の軸に突起を設けたシャッター支持部材の要部を拡大して示す斜視図である。図１５は本発明の実施形態６に係る換気扇の穴の一部を切り欠いたシャッタープレートの要部を拡大して示す側面図である。図１６は本発明の実施形態６に係る換気扇のシャッター支持部材とシャッタープレートの関係をシャッターを閉じた状態で示す側面図である。なお、各図中、前述の実施形態１に相当する部分には同一符号を付してある。また、説明にあたってはここでも前述の図１乃至図４を参照するものとする。
本発明の実施形態６に係る換気扇は、図１４乃至図１６のようにシャッタープレート７の穴７ａの周縁部の一部に切欠き７ａ２を設けるとともに、シャッター支持部材６の軸６ａの外周面の一部に、穴７ａの切欠き７ａ２内に嵌入可能な軸側突起６ａ１を軸方向に延出させて設けている。
【００２６】
これを更に詳述すると、シャッタープレート７の穴７ａの周縁部の切欠き７ａ２は、シャッター１０２の開閉可動範囲となる角度の範囲に形成されている。また、シャッター支持部材６の軸６ａに設けた軸側突起６ａ１は、シャッタープレート７の切欠き７ａ２に嵌め込み、シャッター１０２が閉じる際に、最初にシャッタープレート７の切欠き７ａ２の端部エッジ、ここでは穴７ａの周縁部に設けた切起し７ａ１の切欠き端部側エッジに衝突するように構成されている。それ以外の構成は前述の実施形態１のものと同様である。
【００２７】
本発明の実施形態６に係る換気扇においては、引き紐１０を引いて電源を切ることによりシャッター１０２が閉塞状態となる。このシャッター１０２が閉塞状態となる際、シャッタープレート７の穴７ａが、シャッター支持部材６の軸６ａを同軸として回転し、シャッタープレート７の穴７ａに設けた切起し７ａ１の切欠き端部側エッジが、シャッター支持部材６の軸６ａに設けた軸側突起６ａ１と最初に衝突する。その後、シャッタープレート７の自由端部が下方で隣接するシャッタープレート７の基端部と衝突（又は接触）する。つまり、シャッタープレート７は、閉塞させられる際に、振動の節となる穴７ａに設けた周縁部の切欠き７ａ２の端部（切起し７ａ１の切欠き７ａ２側端部）が、遮蔽板６ｃの軸６ａに設けた軸側突起６ａ１と最初に衝突することとなる。このため、シャッタープレート７を閉塞させる際の遮蔽板６ｃとの衝突による振動振幅が小さく抑えられる。そして、これにより衝撃音が低減可能となる。
【００２８】
なお、ここではシャッター支持部材６側に軸６ａを、またシャッタープレート７側に穴７ａを形成したものを例に挙げて説明したが、軸６ａと穴７ａの位置関係は逆でもよいことは言うまでもない。
【００２９】
また、前述の各実施形態では、引き紐１０でシャッター１０２を開閉する方式の換気扇１００に本発明を用いたものを例に挙げて説明したが、電動でシャッター１０２を開閉する換気扇、風圧でシャッター１０２を開閉する換気扇でも本発明を適用できることは言うまでもない。
【産業上の利用可能性】
【００３０】
本発明は、揺動シャッターを有する機器全般に適用可能である。
【符号の説明】
【００３１】
１  換気扇枠、２  モーター、３  羽根、４  ファンベース、５  オリフィス、６  シャッター支持部材、６ａ  軸、６ａ１  軸側突起、６ｂ  支持部材側突起、６ｂ１  溝、６ｂ２  棒状突起、６ｃ  遮蔽板、６ｃ１  端部（干渉部）、７  シャッタープレート、７ａ  穴、７ａ１  切起し、７ａ２  切欠き、７ｂ  プレート側突起、７ｃ  側板、７ｄ  平板部、８  連結板、９  スイッチ、１０  引き紐、１１  復帰ばね、１００  換気扇、１０１  送風機、１０２  シャッター。
【図１】
0005818729.tif 000002
【図２】
0005818729.tif 000003
【図３】
0005818729.tif 000004
【図４】
0005818729.tif 000005
【図５】
0005818729.tif 000006
【図６】
0005818729.tif 000007
【図７】
0005818729.tif 000008
【図８】
0005818729.tif 000009
【図９】
0005818729.tif 000010
【図１０】
0005818729.tif 000011
【図１１】
0005818729.tif 000012
【図１２】
0005818729.tif 000013
【図１３】
0005818729.tif 000014
【図１４】
0005818729.tif 000015
【図１５】
0005818729.tif 000016
【図１６】
0005818729.tif 000017